(57)【特許請求の範囲】
【請求項１】
情報及びユーザインターフェースを表示するディスプレイと、
データを保存するためのメモリと、
ユーザが操作する外部キーと、
ユーザが機能操作を実施するための回転操作可能なジョグダイヤルと、
前記ジョグダイヤルの回転操作を感知し、該ジョグダイヤルの回転操作の方向及び程度を通知する信号を発生する感知部と、
オーディオ信号を出力するための出力部と、
前記感知部から発生した信号に応じて該当機能を実行する制御部と、
を含んで構成され、
前記制御部は、
音楽再生時、前記ジョグダイヤルの回転操作が感知されると、前記感知部から発生した信号による前記ジョグダイヤルの回転操作の方向及び程度に応じて、再生機能の制御を実行すると同時に前記メモリに保存された効果音のいずれか１つを検索して前記出力部から出力し、又は、再生中の音楽を一時停止すると共に前記メモリに保存された効果音のいずれか１つを検索して前記出力部から出力した後に音楽再生を再開し、
音楽再生中に前記外部キーが操作されると、該外部キーに指定された特定の効果音を前記出力部から出力する
ことを特徴とする携帯端末機。
【請求項２】
前記制御部は、前記感知部から発生した信号に応じ再生中の音楽を一時停止して前記メモリに保存された効果音を出力する場合、再生中の音楽にその出力効果音を合成した新しい音楽データを前記メモリに保存することを特徴とする請求項１に記載の携帯端末機。
【請求項３】
情報及びユーザインターフェースを表示するディスプレイと、
データを保存するためのメモリと、
ユーザが操作する外部キーと、
ユーザが機能操作を実施するための回転操作可能なジョグダイヤルと、
前記ジョグダイヤルの回転操作を感知し、該ジョグダイヤルの回転操作の方向及び程度を通知する信号を発生する感知部と、
オーディオ信号を出力するための出力部と、
前記感知部から発生した信号に応じて該当機能を実行する制御部と、
を含んで構成され、
前記制御部は、
音楽再生時、前記ジョグダイヤルの回転操作が感知されると、前記感知部から発生した信号による前記ジョグダイヤルの回転操作の方向及び程度に応じて、再生機能の制御を実行すると同時に前記メモリに保存された効果音のいずれか１つを検索して前記出力部から出力し、又は、再生中の音楽のボリュームをゼロにすると共に前記メモリに保存された効果音のいずれか１つを検索して前記出力部から出力した後に該ボリュームを元のレベルに戻し、
音楽再生中に前記外部キーが操作されると、該外部キーに指定された特定の効果音を前記出力部から出力する
ことを特徴とする携帯端末機。
【請求項４】
前記制御部は、前記感知部から発生した信号に応じ再生中の音楽のボリュームをゼロにして前記メモリに保存された効果音を出力する場合、再生中の音楽にその出力効果音を合成した新しい音楽データを前記メモリに保存することを特徴とする請求項３に記載の携帯端末機。
【請求項５】
前記制御部は、音楽再生中に前記感知部から発生した信号によって前記メモリに保存された効果音を出力する場合、当該動作状態を前記ディスプレイに出力することを特徴とする請求項１又は請求項３に記載の携帯端末機。
【請求項６】
ジョグダイヤル及び外部キーを備えた携帯端末機が実行する制御方法であって、
ユーザの操作に従って選択された音楽を再生する段階と、
音楽再生中、前記ジョグダイヤルの回転操作が感知されるか否かを判断する段階と、
音楽再生中、前記外部キーの操作が感知されるか否かを判断する段階と、
前記ジョグダイヤルの回転操作が感知されると、そのジョグダイヤルの回転操作の方向及び程度に応じて、再生機能の制御を実行すると同時にメモリに保存された効果音のいずれか１つを検索して出力し、又は、再生中の音楽のボリュームをゼロにするか又は再生中の音楽を一時停止させると共に前記メモリに保存された効果音のいずれか１つを検索して出力する段階と、
前記外部キーの操作が感知されると、該外部キーに指定された特定の効果音を出力する段階と、
を含んで構成されることを特徴とする制御方法。
【請求項７】
音楽の再生開始時点から再生終了時点まで、再生音楽と効果音とを含む出力音をエンコードし、該エンコードしたデータを新しい音楽データとして保存する段階をさらに含むことを特徴とする請求項６に記載の制御方法。
【発明の詳細な説明】
【技術分野】
【０００１】
本発明は、携帯電話、ＰＣＳ（Personal Communication System）、ＰＤＡ（Personal Digital Assistant）、ＨＨＰ（Hand-Held Phone）などを含む携帯端末機に関し、特に、ジョグダイヤルを備えた携帯端末機及びその制御方法に関する。
【背景技術】
【０００２】
携帯端末機は、ユーザの要求に応じて速い速度で進化してきたが、特に、小型化、軽量化、及び多様なマルチメディア機能を実現できるように開発されてきた。最近は、携帯端末機に、ＭＰ３モジュールなどの音楽を再生するためのモジュール、高音質の音源を出力するためのスピーカなどが備えられている傾向がある。
【発明の開示】
【発明が解決しようとする課題】
【０００３】
従来の携帯端末機においては、デジタル機器の特性上、音楽再生時、一般的な再生機能（再生、早送り、巻き戻し、繰り返し再生など）だけ制御可能とされていたため、ユーザは受動的に音楽聴取しか行えないという限界があった。
【０００４】
本発明は、このような従来技術の問題を解決するためになされたもので、携帯端末機にジョグダイヤルを適用してユーザの興味と利便性を向上させる、ジョグダイヤルを備えた携帯端末機及びその制御方法を提供することを目的とする。
【０００５】
本発明の他の目的は、携帯端末機の機能に適したジョグダイヤル実現案を提示する、ジョグダイヤルを備えた携帯端末機及びその制御方法を提供することにある。
【課題を解決するための手段】
【０００６】
上記目的を達成するために、本発明によるジョグダイヤルを備えた携帯端末機は、各種情報及びユーザインターフェースを提供するディスプレイと、データを保存するためのメモリと、ユーザが操作する外部キーと、ユーザが機能操作を実施するための回転操作可能なジョグダイヤルと、前記ジョグダイヤルの回転操作を感知し、該ジョグダイヤルの回転操作の方向及び程度を通知する信号を発生する感知部と、オーディオ信号を出力するための出力部と、前記感知部から発生した信号に応じて該当機能を実行する制御部と、を含んで構成され、前記制御部は、音楽再生時、前記ジョグダイヤルの回転操作が感知されると、前記感知部から発生した信号による前記ジョグダイヤルの回転操作の方向及び程度に応じて、再生機能の制御を実行すると同時に前記メモリに保存された効果音のいずれか１つを検索して前記出力部から出力し、又は、再生中の音楽を一時停止すると共に前記メモリに保存された効果音のいずれか１つを検索して前記出力部から出力した後に音楽再生を再開し、音楽再生中に前記外部キーが操作されると、該外部キーに指定された特定の効果音を前記出力部から出力することを特徴とする。あるいは、前記制御部は、音楽再生時、前記ジョグダイヤルの回転操作が感知されると、前記感知部から発生した信号による前記ジョグダイヤルの回転操作の方向及び程度に応じて、再生機能の制御を実行すると同時に前記メモリに保存された効果音のいずれか１つを検索して前記出力部から出力し、又は、再生中の音楽のボリュームをゼロにすると共に前記メモリに保存された効果音のいずれか１つを検索して前記出力部から出力した後に該ボリュームを元のレベルに戻し、音楽再生中に前記外部キーが操作されると、該外部キーに指定された特定の効果音を前記出力部から出力することを特徴とする。
【０００７】
また、上記目的を達成するために、本発明によるジョグダイヤル及び外部キーを備えた携帯端末機が実行する制御方法は、ユーザの操作に従って選択された音楽を再生する段階と、音楽再生中、前記ジョグダイヤルの回転操作が感知されるか否かを判断する段階と、音楽再生中、前記外部キーの操作が感知されるか否かを判断する段階と、前記ジョグダイヤルの回転操作が感知されると、当該ジョグダイヤルの回転操作の方向（時計回り、反時計回り）及び程度（回転角度、回転速度、操作回数、操作間隔など）に応じて、再生機能の制御を実行すると同時にメモリに保存された効果音のいずれか１つを検索して出力し、又は、再生中の音楽のボリュームをゼロにするか又は再生中の音楽を一時停止させると共に前記メモリに保存された効果音のいずれか１つを検索して出力する段階と、前記外部キーの操作が感知されると、該外部キーに指定された特定の効果音を出力する段階と、を含んで構成されることを特徴とする。
【発明の効果】
【０００８】
本発明によるジョグダイヤルを備えた携帯端末機は、ジョグダイヤルの回転又は回転に該当する接触点の移動の感知（タッチホイールなどのタッチパネルでジョグダイヤル機能を構成するような場合）、すなわち回転操作の感知により、音楽再生機能を簡単に制御し、音楽再生中にユーザの個性に合った多様な効果音を出力したり、再生中の音楽に効果音を挿入したりすることが可能になり、ユーザの利便性を向上させ、興味を誘発するという効果がある。
【発明を実施するための最良の形態】
【０００９】
以下、添付した図面を参照して本発明の好ましい実施形態を説明する。本発明の説明において、関連の公知機能又は構成に関する具体的な説明は、適宜省略する。
【００１０】
図１は、本発明の一実施形態によるジョグダイヤルを備えた携帯端末機の構成を示すブロック図である。
【００１１】
図１に示すように、本発明の一実施形態によるジョグダイヤルを備えた携帯端末機１００は、各種情報及びユーザインターフェースを提供するディスプレイ１１０と、データを保存するためのメモリ１２０と、ユーザが機能操作を実施するための回転操作可能なジョグダイヤル１３０と、ジョグダイヤル１３０の回転操作を感知してそれによるジョグ信号を発生する感知部１４０と、オーディオ信号を出力するための出力部１５０と、これら各ユニット１１０，１２０，１３０，１４０，１５０を少なくとも制御し、感知部１４０から発生したジョグ信号に応じて該当機能を実行する制御部１６０と、を含んで構成されている。
【００１２】
また、この携帯端末機１００は、無線信号を送受信するための送受信部１７０と、少なくともマイクを備えた入力部１８０と、ユーザが入力操作するためのキーパッド１９０と、をさらに含む。
【００１３】
感知部１４０は、ジョグダイヤル１３０の回転操作があったときに、その回転操作の方向及び程度（本例では両方）を感知し、該感知された回転操作の方向及び程度によるジョグ信号を発生する。図示していないが、感知部１４０は、制御部１６０と共に集積した１つのプロセッサとして構成できる。
【００１４】
制御部１６０は、感知部１４０から発生した信号によって該当機能を実行制御するが、メニュー、特定機能又は特定コンテンツを選択するための画面が表示された状態で感知部１４０から発生したジョグ信号を受けるた場合は、そのジョグ信号に応じて選択画面上で指示子（カーソル）を移動させ、いずれかのメニュー、機能又はコンテンツに位置させる。
【００１５】
例えば、ユーザがジョグダイヤル１３０を反時計回りに回転操作すると、感知部１４０は、ジョグダイヤル１３０の反時計回り回転操作を通知するジョグ信号を発生し、そのジョグ信号を受けた制御部１６０は、リストなどが表示された選択画面で、カーソルを左へ１列ずつ又は上へ１行ずつ移動させる。また、ユーザがジョグダイヤル１３０を時計回りに回転操作すると、感知部１４０は、ジョグダイヤル１３０の時計回り回転操作を通知するジョグ信号を発生し、そのジョグ信号を受けた制御部１６０は、カーソルを右へ１列ずつ又は下へ１行ずつ移動させる。これにより、ユーザはジョグダイヤル１３０を方向キーのように使用できる。さらに、所定の基準値を設定しておき、ジョグダイヤル１３０が基準回転角度以上回転操作された場合は、制御部１６０が、感知部１４０から発生した該当のジョグ信号によって、カーソルを所定間隔（複数の行又は列）ずつ移動させるようにすることもできる。
【００１６】
また、制御部１６０は、音楽再生中に、ジョグダイヤル１３０の回転操作があって感知部１４０から発生したジョグ信号を受けると、そのジョグ信号によって、前の曲又は次の曲の再生、再生中の曲の巻き戻し、早送り、一時停止、繰り返し再生などの音楽再生機能の制御、及び／又はメモリ１２０に保存された効果音を出力部１５０から出力する制御を実行する。
【００１７】
前の曲又は次の曲の再生、再生中の曲の巻き戻し、早送り、効果音の出力などは、ユーザのメニュー選択に従い行うか、又はジョグダイヤル１３０の回転操作の程度による感知部１４０のジョグ信号発生と、これに応じる制御部１６０の制御により選択的に実行することができる。例えば、ユーザは、ジョグダイヤル関連機能設定メニューの下位メニューである、曲の選択、曲の制御、効果音の挿入などから所望の機能を選択し、ジョグダイヤル１３０を回転操作することにより、該当機能を実行させることもでき、また、ジョグダイヤル１３０の回転角度の基準値を設定しておき、回転操作の方向や程度によって該当機能を選択実行させることもできる。
【００１８】
基準値を設定しておく場合、例えば、ジョグダイヤル１３０が一方向に基準角度以上回転操作されると、感知部１４０は、その基準角度以上の回転操作を通知するジョグ信号を発生し、そのジョグ信号を受けた制御部１６０が、当該回転操作の方向に従って前の曲又は次の曲を選択する制御を実行する。反対に、ジョグダイヤル１３０の回転操作が基準角度に達しない場合は、感知部１４０は、その基準角度未満回転操作を通知するジョグ信号を発生し、そのジョグ信号を受けた制御部１６０が、当該回転操作の方向に従って巻き戻し又は早送りの再生機能を制御する。あるいは、ジョグダイヤル１３０が一方向への回転操作に続けて逆回転操作されるか、又は繰り返して正逆回転操作されると、感知部１４０は、ジョグダイヤル１３０の回転操作方向とその回数や間隔を通知するジョグ信号を発生し、そのジョグ信号を受けた制御部１６０が、回転操作の方向や程度によって、メモリ１２０に保存された効果音のいずれか１つを検索し、出力部１５０から出力するようにすることができる。
【００１９】
制御部１６０は、効果音の出力制御を実行する場合、再生中の音楽を一時停止して効果音を出力した後に再び音楽再生に戻るよう制御することができる。あるいは、再生中の音楽のボリュームをゼロにして効果音を出力した後にボリュームを元のレベルに戻すよう制御することもできる。さらに、再生中の音楽の巻き戻し又は早送り中に効果音を出力し、巻き戻し位置又は早送り位置から音楽の再生を再開するよう制御することもできる。
【００２０】
また、制御部１６０は、外部キー（サイドキーなど）を含む特定ボタンの設定により、当該ボタンが押されると別途の特定の効果音を出力するように制御することもできる。
【００２１】
制御部１６０により出力される効果音は、メモリ１２０に予め記憶されるが、例えば、ターンテーブルのスクラッチ音、拍手の音、楽器の音などの音響効果を有する多様な効果音を保存することができる。さらに、ユーザがケーブル、無線インターネット、近距離無線通信などを利用して有無線で所望の効果音をダウンロードし、記憶させて使用することもできる。
【００２２】
また、制御部１６０は、音楽再生中にジョグダイヤル１３０の回転操作により効果音を出力する場合、再生中の音楽と出力される効果音を合成して新しい音楽データとしてメモリ１２０に記憶させることもできる。この場合、ユーザの操作に従って、再生中の音楽と出力される効果音が１つの音楽データとしてリアルタイムに保存され得る。
【００２３】
さらに、制御部１６０は、音楽再生中にジョグダイヤル１３０の回転操作により効果音を出力する場合、これに応じた動作状態をディスプレイ１１０に出力することができる。例えば、制御部１６０は、ジョグダイヤル１３０の回転操作による巻き戻し中に効果音を出力する場合、巻き戻しを通知する文字やアイコンなどをディスプレイ１１０に表示することができる。あるいは、再生中の音楽を一時停止して効果音を出力する場合、音楽の一時停止を通知する文字やアイコンなどをディスプレイ１１０に表示することができる。
【００２４】
制御部１６０は、ジョグダイヤル１３０の回転操作によって、前述のような音楽再生中の制御だけでなく、動画像又はこれに準ずるコンテンツの再生においても、再生制御、再生中の効果音の出力、特定画面の出力などの多様な制御を行うことができる。例えば、制御部１６０は、動画像再生中にジョグダイヤル１３０の回転操作が認識されると、予め保存された画像を出力し、この出力画像を再生中の動画像と合成して１つの画像データとして保存できる。
【００２５】
出力部１５０はスピーカであり、入力部１８０はマイクであり得る。また、携帯端末機１００は、前述した構成の他にも、キーボードなどの外部入力手段に接続されて信号を受信できるようにする入力端子をさらに含むことができる。また、携帯端末機１００は、テレビやモニタなどの外部表示装置、高出力の大型スピーカなどの外部音響装置に接続されて画像信号及びオーディオ信号を出力できるようにする出力端子をさらに含むことができる。また、携帯端末機１００は、メモリカードなどの外部記憶媒体が挿入されてデータを保存できるようにする記憶媒体挿入部、さらには、放送受信モジュール、カメラモジュール、インターネットバンキングモジュールなどの付加機能を有するユニットをさらに含むことができる。
【００２６】
なお、デジタル機器のコンバーゼンス傾向によって携帯端末機の変形が非常に多様であり全ては列挙できないが、本発明による携帯端末機１００が前述したユニットと同等なレベルのユニットをさらに含むことができることは、本発明の属する技術の分野における通常の知識を有する者であれば容易に理解できるはずである。
【００２７】
以下、ジョグダイヤル１３０の構成について図２を参照して説明する。図２は本発明の一実施形態によるジョグダイヤルの構成を示す構成図である。
【００２８】
図２に示すように、ジョグダイヤル１３０は、ユーザにより回転させられる回転板２１０と、回転板２１０に接してその回転力を図１の感知部１４０に伝達する回転部２２０と、回転板２１０及び回転部２２０が回転するための軸である回転軸２３０と、を含む。回転部２２０は、回転板２１０の回転方向や回転程度を判断するための複数の基準突起又は基準点などを備えることができる。回転板２１０は、回転部２２０と共に、回転軸２３０を基準に時計回り及び反時計回りに３６０°回転可能である。回転軸２３０は、携帯端末機の本体の外部又は内部基板に一体形又は接合形に設けられている構造を有するもので、回転板２１０及び回転部２２０が回転装置として動作できるように軸の役割を果たし、回転板２１０及び回転部２２０の離脱を防止し、ユーザの操作により回転板２１０に加えられた圧力を支持する役割を果たす。
【００２９】
一方、このような機械的構成とは異なり、一体型タッチパネル（タッチホイールなど）でジョグダイヤル１３０を構成することもでき、この場合は、ユーザの接触、接触開始地点、接触状態での接触地点の移動、接触終了地点などを感知してそれによるジョグ信号を発生することができる。すなわち、図２の回転板２１０のようにジョグダイヤル１３０の構成部品が回転するのではなく、ジョグダイヤル１３０（タッチパネル）に接触する手段（ユーザの指など）が動き、ジョグダイヤル１３０は、その接触手段の接触や移動などを感知する機能をもつ。このような接触感知型のタッチパネルは、ユーザが指などを接触させて容易に回転方向へ移動させられるような凹部が形成されるように、周辺（本体の表面）より低い位置に備えることができる。この場合、図１の感知部１４０は、当該タッチパネルを構成する１つのユニットとして動作できる。
【００３０】
図３Ａ〜３Ｃは本発明によるジョグダイヤルを備えた多様なタイプの携帯端末機を示す外形図である。
【００３１】
図３Ａに示すように、ジョグダイヤル１３０は、携帯端末機のキーパッド３１０の上部又は下部に備えることもでき、図３Ｂに示すように、折り畳みタイプの携帯端末機の蓋部３２０においてサブディスプレイの上部又は下部に備えることもでき、図３Ｃに示すように、スライドタイプの携帯端末機の上側本体３３０に備えることもできる。
【００３２】
ジョグダイヤル１３０の形状及び位置は、図３Ａ〜図３Ｃに示す各例に限定されるものではなく、携帯端末機のタイプやユーザの利便性を考慮して多様に変形可能である。
【００３３】
図４は本発明によるジョグダイヤルを備えた携帯端末機において、制御部が実行する制御方法の第１の例で、音楽再生中に効果音を出力する過程を示すフローチャートである。
【００３４】
図４に示すように、まず、ユーザにより、携帯端末機に保存された音源リストから少なくとも１つの音源が選択されて再生される（Ｓ４１０）。このとき、ユーザによるキーパッド又はジョグダイヤルの操作により、音源リストをスクロールするか、又はカーソルを移動させて、所定の音源が選択される。
【００３５】
音楽再生中、ジョグダイヤルの回転操作が感知されるか否かを判断し（Ｓ４２０）、ジョグダイヤルの回転操作が感知されると、その回転操作の方向や程度に応じて、設定された特定動作を実行する（Ｓ４３０）。たとえば、前述のようなジョグダイヤルの設定によって、再生音楽に対する早送り、巻き戻し、繰り返し再生などの再生機能の制御を行うことができる。あるいは、再生中の音楽のボリュームをゼロにするか又は再生中の音楽を一時停止し、特定効果音を検索して出力することができる。さらには、そのような再生機能の制御と同時に特定効果音を検索して出力することもできる。また、外部キー（サイドキーなど）を含む特定ボタンが押されると、当該ボタンに設定又は指定された別途の特定の効果音を出力することもできる。
【００３６】
その後、携帯端末機は、再生機能の制御及び／又は効果音の出力に従った所定位置から音楽を再生する（Ｓ４４０）。すなわち、巻き戻しをした場合は、巻き戻しされた位置から音楽を再生し、再生中の音楽を一時停止した後に効果音を出力した場合は、停止した位置から音楽を再生する。そして、再生中の音楽が終了したか否かを判断し（Ｓ４５０）、音楽が終了していないと、前記の過程Ｓ４２０〜Ｓ４４０を、当該音楽が終了するまで繰り返し行う。
【００３７】
図５は、本発明によるジョグダイヤルを備えた携帯端末機において、制御部が実行する制御方法の第２の例で、効果音と音楽を合成する過程を示すフローチャートである。以下では、再生機能の制御を除いて効果音の出力についてのみ説明する。
【００３８】
まず、ユーザにより選択された音楽を再生すると（Ｓ５１０）、携帯端末機は、ジョグダイヤルの回転操作が感知されるか否かを判断し（Ｓ５２０）、ジョグダイヤルの回転操作が感知されると、その回転操作の方向や程度に応じて、効果音を検索し、再生中の音楽のボリュームをゼロにするか又は再生中の音楽を一時停止すると共に検索された効果音を出力する（Ｓ５３０）。その後、携帯端末機は、再生中の音楽のボリュームを元のレベルに戻すか、又は一時停止した部分から音楽を再生する（Ｓ５４０）。そして、再生中の音楽が終了したか否かを判断し（Ｓ５５０）、音楽が終了していないと、前記の過程Ｓ５２０〜Ｓ５４０を当該音楽が終了するまで繰り返し行う。
【００３９】
一方、その出力効果音は、ユーザの選択又は設定により、音楽の再生開始時点から再生終了時点までその再生される音楽と共にエンコードされて、新しいデータとして保存される（Ｓ５６０）。すなわち、音楽の再生開始時点から再生終了時点まで出力される全ての音が１つの新しい音楽データとして保存される。この新しく保存された音楽データは、再生時、該当位置に効果音が含まれて再生される。ステップＳ５６０は、Ｓ５１０〜Ｓ５５０と並行して連動する制御である。
【図面の簡単な説明】
【００４０】
【図１】本発明の一実施形態によるジョグダイヤルを備えた携帯端末機の構成を示すブロック図である。
【図２】本発明の一実施形態によるジョグダイヤルの構成を示す構成図である。
【図３Ａ】本発明によるジョグダイヤルを備えた携帯端末機の一例を示す外形図である。
【図３Ｂ】本発明によるジョグダイヤルを備えた携帯端末機の他の例を示す外形図である。
【図３Ｃ】本発明によるジョグダイヤルを備えた携帯端末機のさらに他の例を示す外形図である。
【図４】本発明によるジョグダイヤルを備えた携帯端末機の制御方法の一例を示すフローチャートである。
【図５】本発明によるジョグダイヤルを備えた携帯端末機の制御方法の他の例を示すフローチャートである。
【符号の説明】
【００４１】
１１０  ディスプレイ
１２０  メモリ
１３０  ジョグダイヤル
１４０  感知部
１５０  出力部
１６０  制御部
１７０  送受信部
１８０  入力部
１９０  キーパッド
【図１】
0004621637.tif 000002
【図２】
0004621637.tif 000003
【図３Ａ】
0004621637.tif 000004
【図３Ｂ】
0004621637.tif 000005
【図３Ｃ】
0004621637.tif 000006
【図４】
0004621637.tif 000007
【図５】
0004621637.tif 000008